(57)【特許請求の範囲】
【請求項１】
四肢の関節とその隣の他の関節との間に取り付けて上記四肢を部分的に加圧する加圧用具であり、
縦に延びた左右の縁部を有しており、左の縁部（以下、左縁部と呼ぶ。）から右の縁部（以下、右縁部と呼ぶ。）までに亘る領域で上記四肢の一部を周囲方向に包むシート部材と、
上記シート部材に設けられており、上記シート部材が上記四肢の一部を包んで上記左縁部と上記右縁部とが近づいた状態を維持する固定部材と、
上記四肢に当たる上記シート部材の裏側に設けられ、さらに周縁を上記シート部材に縫い合わされていて、上記四肢の周囲の全体に亘って当たるよう上記シート部材の上記左縁部側から上記右縁部側へ延びた帯状の加圧当接部材と、
上記シート部材と上記加圧当接部材との間に設けられ、さらに上記四肢の周囲の全体を押さえるよう膨張自在に形成された空気袋と、を備え、
上記シート部材は、上記空気袋によって上記四肢の周囲方向に沿ってリング状に加圧される部位（以下、加圧部位と呼ぶ。）と上記加圧部位に隣接して上記加圧部位より広い周辺の部位とを併せて包む大きさに形成されていることを特徴とする、加圧用具。
【請求項２】
四肢の関節とその隣の他の関節との間に取り付けて上記四肢を部分的に加圧する加圧用具であり、
縦に延びた左右の縁部を有しており、左の縁部（以下、左縁部と呼ぶ。）から右の縁部（以下、右縁部と呼ぶ。）までに亘る領域で上記四肢の一部を周囲方向に包むシート部材と、
上記シート部材に設けられており、上記シート部材が上記四肢の一部を包んで上記左縁部と上記右縁部とが近づいた状態を維持する固定部材と、
上記四肢に当たる上記シート部材の裏側で上記四肢の周囲の全体に亘って当たるよう上記シート部材の上記左縁部側から上記右縁部側へ延びた加圧ユニットと、
上記加圧ユニットを上記シート部材に着脱自在に取り付ける加圧ユニット用固定部材と、を備え、
上記加圧ユニットは、上記四肢の周囲の全体を押さえるよう膨張自在に形成された空気袋と、上記空気袋を内側に入れることができる収容部と、を備えており、
上記シート部材は、上記空気袋によって上記四肢の周囲方向に沿ってリング状に加圧される部位（以下、加圧部位と呼ぶ。）と上記加圧部位に隣接して上記加圧部位より広い周辺の部位とを併せて包む大きさに形成されていることを特徴とする、加圧用具。
【請求項３】
四肢の関節とその隣の他の関節との間に取り付けて上記四肢を部分的に加圧する加圧用具であり、
縦に延びた左右の縁部を有しており、左の縁部（以下、左縁部と呼ぶ。）から右の縁部（以下、右縁部と呼ぶ。）までに亘る領域で上記四肢の一部を周囲方向に包むシート部材と、
上記シート部材に設けられており、上記シート部材が上記四肢の一部を包んで上記左縁部と上記右縁部とが近づいた状態を維持する固定部材と、
上記四肢に当たる上記シート部材の裏側に設けられ、さらに上記四肢の周囲の全体を押さえるよう膨張自在に形成された空気袋と、
上記シート部材の裏側に設けられて上記空気袋の端部を固定する空気袋用固定部材と、を備え、
上記シート部材は、上記空気袋によって上記四肢の周囲方向に沿ってリング状に加圧される部位（以下、加圧部位と呼ぶ。）と上記加圧部位に隣接して上記加圧部位より広い周辺の部位とを併せて包む大きさに形成されていることを特徴とする、加圧用具。
【請求項４】
上記シート部材は、上記空気袋が取り付けられる空気袋取付側と上記空気袋から離れて上記四肢を包むことに利用される空気袋非取付側との間を部分的に区切るように、上記左縁部側と上記右縁部側から内側へ切り欠いた切欠部を備え、
上記固定部材は、上記シート部材の上記空気袋取付側と上記空気袋非取付側とにそれぞれ設けられていることを特徴とする、請求項１から請求項３の何れかに記載の加圧用具。
【請求項５】
上記シート部材の上記左縁部と上記右縁部の形を維持する形状維持部材をさらに備えていることを特徴とする、請求項１から請求項４の何れかに記載の加圧用具。
【請求項６】
上記シート部材の裏側で上記四肢に当たる面の少なくとも一部に滑り止め部をさらに備えていることを特徴とする、請求項１から請求項５の何れかに記載の加圧用具。
【請求項７】
上記空気袋と上記シート部材との間に、上記空気袋を上記シート部材側から押さえて上記四肢側へ膨張させる規制部材をさらに備えていることを特徴とする、請求項１から請求項６の何れかに記載の加圧用具。
【請求項８】
上記空気袋は、内側に伸縮部材を備えていて、この伸縮部材によって膨らんでいることを特徴とする、請求項１から請求項７の何れかに記載の加圧用具。
【請求項９】
上記空気袋の圧力を計測するアナログ式の計測器と、一方の端部を上記空気袋に取り付けられ他方の端部を上記計測器に取り付けられて上記空気袋の内側から上記計測器まで空気の通路を形成するチューブ部材と、を備えていることを特徴とする、請求項８に記載の加圧用具。
【請求項１０】
馬の前肢で肘と前膝との間、又は後肢で後膝と飛節との間に取り付けられるよう構成されていることを特徴とする、請求項１から請求項９の何れかに記載の加圧用具。
【発明の詳細な説明】
【技術分野】
【０００１】
本発明は、四肢の関節と関節との間の部位に取り付けて筋力等の増強等を図るための加圧用具に関する。
【背景技術】
【０００２】
競争馬は通常、調教によって、坂路やトラックコースを走るなどのトレーニングを行う。トレーニングなどで前肢や後肢に掛かる負担が大きくなると、故障等の原因になる虞がある。そのため、効果的に筋力の増強を図ることが従来より望まれている。
【０００３】
人間の腕や脚の筋力を増強するために、腕や脚の血流を一時的に抑えて筋力などの増強を図るための加圧用具が知られている。
【０００４】
図１３は従来の人間用の加圧用具９０を示す図である。加圧用具９０は、内部に空気袋を備えた加圧ベルト９１と、チューブ９２を介して空気袋とつながったポンプ９３と、計測器９４と、を備えている。加圧ベルト９１は、帯状のベルト本体部９１Ａと、本体部９１Ａの一方の端部に取り付けられた環状部材９１Ｂと、ベルト本体部９１Ａの他方の端部を環状部材９１Ｂに通して折り返した状態を維持するよう重なり合って連結する面ファスナ部材９１Ｃ，９１Ｄと、を備えている。このような帯状の加圧用具９０が特許文献１に開示されている。
【０００５】
従来の人間用の加圧用具９０は、ベルト本体部９１Ａを腕や脚のまわりでループ型の形に変え、ループの径を絞って腕や脚に密着させる。さらにポンプ９３によって空気袋を膨らませて腕や脚を加圧する。
【先行技術文献】
【特許文献】
【０００６】
【特許文献１】特許第２７９６２７６号公報
【発明の概要】
【発明が解決しようとする課題】
【０００７】
人間用の加圧用具９０を馬の前肢又は後肢にそのまま利用すると、馬に掛かる負担が大きい。例えば前肢で肘の下に細長い加圧用具９０を巻くと腱が強く押さえられて前肢を拘束してしまい、特に競争馬であると前肢は他の馬に比べて非常に細いため過剰に力が作用することになり、馬の動きを止めてしまうし、押さえる力が大きくなりすぎると馬が加圧用具を安心して取り付けていられなくなる虞がある。そこで、加圧する部位だけでなく、その周辺の部位も併せて包むように取り付けることができ、また使用の際には包まれた部位の内、一部だけが加圧されるように押されることが望ましい。
【０００８】
なお、このような加圧対象をピンポイントで押し、その周辺も併せて包む取付方は、人間の四肢の関節と関節との間の部位として例えば太って脂肪の多い大腿部に取り付ける際には好ましい。
【０００９】
本発明は、四肢の関節と関節との間に取り付けて加圧することができる加圧用具を提供することを目的とする。
【課題を解決するための手段】
【００１０】
本発明は、四肢の関節とその隣の他の関節との間に取り付けて上記四肢を部分的に加圧する加圧用具であり、縦に延びた左右の縁部を有しており、左の縁部から右の縁部までに亘る領域で上記四肢の一部を周囲方向に包むシート部材と、上記シート部材に設けられており、上記シート部材が上記四肢の一部を包んで上記左の縁部と上記右の縁部とが近づいた状態を維持する固定部材と、上記四肢に当たる上記シート部材の裏側に設けられ、さらに周縁を上記シート部材に縫い合わされていて、上記四肢の周囲の全体に亘って当たるよう上記シート部材の上記左の縁部側から上記右の縁部側へ延びた帯状の加圧当接部材と、上記シート部材と上記加圧当接部材との間に設けられ、さらに上記四肢の周囲の全体を押さえるよう膨張自在に形成された空気袋と、を備えている。さらに、上記シート部材は、上記空気袋によって上記四肢の周囲方向に沿ってリング状に加圧される部位と、この加圧される部位に隣接して加圧される部位より広い周辺の部位と、を併せて包む大きさに形成されていることを特徴とする。
【００１１】
また、本発明は、四肢の関節とその隣の他の関節との間に取り付けて上記四肢を部分的に加圧する加圧用具であり、縦に延びた左右の縁部を有しており、左の縁部から右の縁部までに亘る領域で上記四肢の一部を周囲方向に包むシート部材と、上記シート部材に設けられており、上記シート部材が上記四肢の一部を包んで上記左の縁部と上記右の縁部とが近づいた状態を維持する固定部材と、上記四肢に当たる上記シート部材の裏側で上記四肢の周囲の全体に亘って当たるよう上記シート部材の上記左の縁部側から上記右の縁部側へ延びた加圧ユニットと、上記加圧ユニットを上記シート部材に着脱自在に取り付ける加圧ユニット用固定部材と、を備えている。さらに、上記加圧ユニットは、上記四肢の周囲の全体を押さえるよう膨張自在に形成された空気袋と、上記空気袋を内側に入れることができる収容部と、を備えている。上記シート部材は、上記空気袋によって上記四肢の周囲方向に沿ってリング状に加圧される部位と、この加圧される部位に隣接して加圧される部位より広い周辺の部位と、を併せて包む大きさに形成されていることを特徴とする。
【００１２】
本発明は、四肢の関節とその隣の他の関節との間に取り付けて上記四肢を部分的に加圧する加圧用具であり、縦に延びた左右の縁部を有しており、左の縁部から右の縁部までに亘る領域で上記四肢の一部を周囲方向に包むシート部材と、上記シート部材に設けられており、上記シート部材が上記四肢の一部を包んで上記左の縁部と上記右の縁部とが近づいた状態を維持する固定部材と、上記四肢に当たる上記シート部材の裏側に設けられ、さらに上記四肢の周囲の全体を押さえるよう膨張自在に形成された空気袋と、上記シート部材の裏側に設けられて上記空気袋の端部を固定する空気袋用固定部材と、を備えている。さらに、上記シート部材は、上記空気袋によって上記四肢の周囲方向に沿ってリング状に加圧される部位と、この加圧される部位に隣接して加圧される部位より広い周辺の部位と、を併せて包む大きさに形成されていることを特徴とする。
【発明の効果】
【００１３】
本発明によれば、加圧される部位だけでなくその周りを広く含めて包みながら装着することができる。これにより、従来の細長く形成された帯状の加圧用具のように過度に強く縛ることを防止でき、また安定して取り付けることができる。
【図面の簡単な説明】
【００１４】
【図１】本発明の実施形態の加圧用具を馬の右前肢に取り付けた状態を示す図である。
【図２】（ａ）は本発明の実施形態の加圧用具を取り付ける前の右前肢の拡大図であり、（ｂ）は加圧用具を取り付けた後の右前肢の拡大図である。
【図３】（ａ）と（ｂ）は本発明の実施形態の加圧用具の構成を説明するための図である。
【図４】図２の前肢に取り付けた加圧用具を前肢の内側から見た図である。
【図５】図３（ａ）のＡ−Ａ線に沿った加圧用具の断面図である。
【図６】（ａ）は本発明の実施形態の加圧用具に設けられる空気袋の正面図であり、（ｂ）は（ａ）のＢ−Ｂ線に沿った空気袋の断面図であり、（ｃ）は（ａ）のＣ−Ｃ線に沿った空気袋の断面図であり、（ｄ）は空気袋の変形例の断面図である。
【図７】本発明の第１変形例の加圧用具を右前肢に取り付けた状態を示す図である。
【図８】（ａ）は本発明の第１変形例の加圧用具を広げて裏側から見た図であり、（ｂ）は（ａ）の加圧用具を表側から見た図であり、（ｃ）は（ｂ）のＤ−Ｄ線に沿った加圧用具の一部の断面を拡大した図である。
【図９】本発明の第２変形例の加圧用具を広げて裏側から見た図である。
【図１０】（ａ）は本発明の第３変形例の加圧用具の断面図であり、（ｂ）は規制部材の変形例を示す正面図、（ｃ）は（ｂ）の規制部材の平面図である。
【図１１】（ａ）は本発明の第４変形例の加圧用具の一部の断面を拡大した図であり、（ｂ）は第４変形例の加圧用具を構成する収容部の分解斜視図である。
【図１２】本発明の第６変形例の加圧用具を馬の右後肢に取り付けた状態を示す図である。
【図１３】従来の加圧用具を示す図である。
【発明を実施するための形態】
【００１５】
図１は加圧用具１を馬の右前肢の上腕に取り付けた状態を示す図であり、図２（ａ）は加圧用具１を取り付ける前の右前肢の拡大図であり、図２（ｂ）は加圧用具１を取り付けた後の右前肢の拡大図である。図２では馬の右前肢を一点鎖線で表している。
【００１６】
図２（ａ）では右前肢を外側から見て肘と前膝との間で加圧用具１を装着する部位をハッチングを付して表し、そのハッチングの内、加圧される部位（以下、加圧部位Ｐ１と呼ぶ。）を交差状のハッチングを付して、加圧部位Ｐ１に隣接した周辺の部位（以下、周辺部位Ｐ２と呼ぶ。）を斜線状のハッチングを付して表している。なお、図示することを省略するが右前肢の内側は、外側と同じ高さの部位が外側と同様に加圧部位Ｐ１やそれに隣接して覆われる周辺部位Ｐ２として取り扱われる。
【００１７】
図３の（ａ）と（ｂ）は加圧用具１の構成を説明するための図である。加圧用具１は、肘と前膝との間の上腕で、図２（ａ）で交差状のハッチングで表す加圧部位Ｐ１と、加圧部位Ｐ１に隣接した図２（ａ）の斜線状のハッチングで表す周辺部位Ｐ２とを包むシート部材１０を備えている。シート部材１０は、加圧部位Ｐ１より周辺部位Ｐ２を広く包む大きさに形成されている。
【００１８】
図３（ａ）はシート部材１０を広げて裏側から見た図であり、シート部材１０は、肘側に配置されて右前肢の周囲の方向に沿って横に延びた上の縁（以下、上縁部１１Ｕと呼ぶ。）と、前膝側に配置されて上縁部１１Ｕと同様に横に延びた下の縁（以下、下縁部１１Ｄと呼ぶ。）と、右前肢の上下の方向に沿って縦に延びていて上縁部１１Ｕと下縁部１１Ｄとをつなぐ左右の縁（以下、それぞれ左縁部１１Ｌ、右縁部１１Ｒと呼ぶ。）とを備えている。シート部材１０は、上縁部１１Ｕや下縁部１１Ｄが左縁部１１Ｌや右縁部１１Ｒとつながる角部１１Ｃを持っている。
【００１９】
シート部材の縁の形状はこれに限定されるものではない。図３（ａ）では、上縁部１１Ｕと下縁部１１Ｄとが横に真っ直ぐに延びた形態を表しているが、例えば、途中で曲がるように、二つの直線部がつながって構成したり、曲線状に形成してもよい。
【００２０】
シート部材１０は、二枚の布地が横に並んで広がるようそれらの一部の縁がつながって構成されたシート本体部１００と、シート本体部１００の周縁を挟んでシート本体部１００に縫い合わせた縁取り部１１０と、から構成されている。図３（ｂ）はシート部材１０の二枚の布地１０１，１０２を離して表している。
【００２１】
シート本体部１００は、同型に裁断した二枚の布地１０１，１０２を用意し、左右対称になるよう縫い合わせて構成されている。布地は限定されるものではないが、例えばメッシュやストレッチなどの伸縮性を有するものを利用する。化繊で構成された二枚の布地１０１，１０２を用いる場合なでは、縁を溶着させてつなげてシート本体部１００を構成してもよいし、縫合や溶着などを省いて裁断した一枚の布地でシート本体部１００を構成してもよい。
【００２２】
図４は図２の右前肢に取り付けた加圧用具１を右前肢の内側から見た図であり、二枚の布地を縫い合わせた縫合部１０５が、右前肢の内側に配置されるように構成されており、図３（ａ）に示すシート部材１０で、縫合部１０５より左側の領域が右前肢の後側に被さり、右側の領域が右前肢の前側に被さるように構成されている。
【００２３】
右前肢では上腕で肘側が太く前膝側が細いことに対応して上縁部１１Ｕは下縁部１１Ｄより寸法が大きく設定されている。左縁部１１Ｌと右縁部１１Ｒとは、右前肢の筋肉の盛り上がりに沿うよう、曲がりながら上縁部１１Ｕから下縁部１１Ｄまで延びている。左縁部１１Ｌと右縁部１１Ｒの寸法として、上縁部１１Ｕから下縁部１１Ｄまでの直線距離は、本例では、肘の下から前膝の上までの上腕のほぼ全長に相応した長さに設定されているが、これに限定されずに、上腕の一部が外に現れるように寸法を短くしてもよい。
【００２４】
さらにシート部材１０は、図２に示すように、上腕部に巻いた状態で左縁部１１Ｌ側と右縁部１１Ｒ側とが右前肢の外側で重なるよう、シート部材１０の上縁部１１Ｕと下縁部１１Ｄの寸法が上腕の周囲より長く設定されている。
【００２５】
以下の説明で、シート部材１０を図３（ａ）に示すように縦方向に等間隔で三つの領域に分け、肘に近い高い部位に当たる領域を上部、前膝寄りの低い部位に当たる領域を下部、上部と下部の間の領域を中間部と呼ぶ。
【００２６】
シート部材１０は、縫合部周辺を上腕部の内側に当て、縦に延びた左縁部１１Ｌと右縁部１１Ｒとを外側で近づけて上腕を包んだ状態を維持するよう固定部材２０を備えている。本実施形態では、固定部材２０を三つ備えていて、これらの内、図２に示すように、肘の近くに配置されてシート部材１０の上部を留めるものを上固定部材２０Ｕと呼び、前膝の近くに配置されてシート部材１０の下部を留めるものを下固定部材２０Ｄと呼び、上固定部材２０Ｕと下固定部材２０Ｄと距離を置いて設けられシート部材１０の中間部を留める中間固定部材２０Ｍと呼ぶ。
【００２７】
上固定部材２０Ｕと下固定部材２０Ｄと中間固定部材２０Ｍとはそれぞれ、左縁部１１Ｌ側に取り付けられた帯状部材２１と、右縁部１１Ｒ側に取り付けられていて帯状部材２１を通す穴２２Ａを備えた環状部材２２と、環状部材２２を通して折り返した帯状部材２１の先端側を一方の縁部側に取り付けられた帯状部材２１の基端側に固定する面ファスナ部材２３とを備えている。なお、帯状部材２１を取り付ける一方の縁部と環状部材２２を取り付ける他方の縁部は、上記と逆でもよい。
【００２８】
上固定部材２０Ｕの帯状部材２１は、シート部材１０の上縁部１１Ｕから内側へ距離を置いた位置に設けられている。上固定部材２０Ｕの帯状部材２１は、下固定部材２０Ｄと中間固定部材２０Ｍの帯状部材２１より長く、さらに幅を狭く形成されている。下固定部材２０Ｄの帯状部材２１は、シート部材１０の下縁部１１Ｄから内側へ距離を置いた位置に設けられている。
【００２９】
各環状部材２２は、布片２２Ｂの一方の端で一部を包み、この布片２２Ｂの他方の端をシート部材１０に縫い合わせて取り付けられている。面ファスナ部材２３は、ループ状の突起部を布片の表面から複数突出したループファスナ２３１と、ループ状の突起部に掛かるフック状の突起部を布片の表面から複数突出したフックファスナ２３２とから構成されている。ループファスナ２３１が帯状部材２１の基端側に設けられ、フックファスナ２３２が先端側に設けられている。なお、固定部材２０の数は上記の数は限定されず、例えば上記の中間固定部材２０Ｍを省略してもよい。
【００３０】
さらに、加圧用具１は、シート部材１０の角部１１Ｃの捲れを防止する捲れ防止部材３０を備えている。捲れ防止部材３０は、帯状部材２１より細く形成されていて一方の端部をシート部材１０の右縁部１１Ｒ寄りの外側に縫い合わされたストラップ３１と、ストラップ３１の他方の端部側をシート部材１０の右縁部１１Ｒ寄りの外側に固定する留め具３２と、から構成されている。留め具は、面ファスナ部材を利用することができるが、スナップやボタンなどの他の留め具を利用してもよい。
【００３１】
加圧用具１は、図３（ａ）に示すように、シート部材１０の裏側に帯状の加圧当接部材４０を設けている。加圧当接部材４０は、縦の寸法より横の寸法を大きく設定された横長の布地で構成されている。この布地は周縁をシート部材１０に縫い合わされている。具体的には、加圧当接部材４０は、シート部材１０の上部で上縁部１１Ｕから距離を置いて内側に設けられており、さらに左縁部１１Ｌ側から右縁部１１Ｒ側へ横に延びている。
【００３２】
図５は図３（ａ）のＡ−Ａ線に沿った加圧用具１の断面図であり、シート部材１０と加圧当接部材４０との間が空気袋５０を入れる収容部６０として構成されている。
【００３３】
図６の（ａ）は空気袋５０の正面図であり、（ｂ）は（ａ）のＢ−Ｂ線に沿った空気袋５０の断面図であり、（ｃ）は（ａ）のＣ−Ｃ線に沿った空気袋５０の断面図である。空気袋５０は、伸縮部材５１と、伸縮部材５１を内部に入れてこの伸縮部材５１によって膨らみまた伸縮部材５１の圧縮に追随して縮む袋本体部５２と、袋本体部５２の周縁に一方の端部がつながり袋本体部５２内部へ向けてまた外部へ向けて空気が通るチューブ５３と、から構成されている。
【００３４】
空気袋５０は、例えば２枚のシート状のウレタンシートを重ねて、周縁を超音波によって溶着して内部に空気を密封可能に構成されている。これに限らず、ディップ漬けした後に乾燥させて、袋状に構成したものを用いてもよい。伸縮部材５１は、例えば高反発性のウレタンであって連続気泡のスポンジのシートとして構成されている。また、伸縮部材５１として弾力性を備えた樹脂の成型品を利用してもよい。
【００３５】
また、空気袋５０は、図６（ｄ）に示すように伸縮部材５１を設けずに平たく形成されていて外部から送られる空気によって膨らみまた逆に膨らんだ状態から外部へ空気を排出して縮む袋本体部５２と、袋本体部５２の周縁に一方の端部がつながり袋本体部５２の内部へ向けてまた外部へ向けて空気が通るチューブ５３と、から構成されてもよい。
【００３６】
袋本体部５２の広い側面部５２１，５２２は横長に形成されていて、空気袋５０は一方の側面部５２１がシート部材１０に当たり他方の側面部５２２が加圧当接部材４０に当たり、さらに長手方向を加圧当接部材４０に沿わせて、収容部６０に設けられる。空気袋５０は、右前肢をその周囲の全体で押さえように袋本体部５２が右前肢を一周する程度或いは一周して端部が重なることができるよう、長手方向の寸法が選定されている。
【００３７】
空気袋５０のチューブ５３は、図３（ａ）に示すように、加圧当接部材４０とシート部材１０との間から収容部６０の外に出されており、さらにシート部材１０に設けた穴１０６から表側に出されている。外に出たチューブ５３をクリップで挟んだり、栓をすることで、空気袋５０の密封状態を維持することができる。
【００３８】
また、図２（ｂ）に示すように計測器７０が、着脱自在に例えば栓を兼ねた連結器７１と、チューブ５３と、他のチューブ５４とをチューブ部材として利用して、空気袋５０とつなげることができる。なお、図示することを省略するが、計測器７０と共にポンプを連結させてもよい。ポンプは手動式の器具に限らず電動式の機械を利用することもできる。計測器７０は空気袋の内部とチューブを介してつながる計測部に空気の圧力が作用して針が動くように構成されているが、アナログ式の器具に限るものではない。
【００３９】
加圧用具１の使用方法について説明する。
シート部材１０で上腕を包む。シート部材１０は広げた状態で縫合部１０５を右前肢で上腕の内側の面に当てながら、縫合部１０５より左の領域で上腕を後から覆うと共に、右の領域で上腕を前から覆う。またシート部材１０の左縁部１１Ｌ側と右縁部１１Ｒ側とを上腕の外側の面で重ねる。
【００４０】
シート部材１０の左縁部１１Ｌと右縁部１１Ｒとを固定部材２０で留める。上固定部材２０Ｕと中間固定部材２０Ｍと下固定部材２０Ｄの帯状部材２１の先端側を対応する環状部材２２に通し更に基端側に折り返して、面ファスナ部材２３で帯状部材２１の基端側に固定する。シート部材１０の角部１１Ｃを捲れ防止部材３０で留める。
【００４１】
シート部材１０を固定部材２０で留める際、計測器７０で空気袋５０の圧力を確認しながら、所定の圧力になるように帯状部材２１を締めて、加圧用具１を右前肢に取り付ける。取り付けが完了した後に、空気袋５０のチューブ５３から計測器７０を外す。
【００４２】
シート部材１０の裏側で空気袋５０を膨らませた状態で、馬を調教する。馬の上腕の一部をリング状に外側から加圧して血流を抑えて運動などを適度に行わせた後に、加圧用具１を外して血流を通常に戻すトレーニングを繰り返すことで、上腕の筋力を増加させる。
【００４３】
空気袋５０をポンプで膨らませる場合には、加圧用具１を右前肢に装着した後、ポンプで空気を空気袋５０に送り、計測器７０で圧力を確認しながら、空気袋５０を膨らませる。所望の圧力に到達した段階でポンプと計測器７０とを空気袋５０のチューブ５３から外し、空気袋５０を密封した状態で馬のトレーニングを行う。
【００４４】
加圧用具１は、シート部材１０で上腕のほぼ全体を包みつつ、その内、加圧当接部材４０に当たる上腕の加圧部位Ｐ１を空気袋の膨張によって押さえることで、従来の細幅で長い加圧用具１で上腕を縛って前肢の腱を押さえることを回避できる。加圧当接部材４０の外側に設けた空気袋５０が、競走馬のような細い前肢で骨と筋肉と腱とで凹凸に形成された表皮の面に柔軟に合わさり、圧力を均一化して、前肢を加圧することができる。
【００４５】
また、従来の細長く形成された帯状の加圧用具９０で上腕を縛る加圧方法と比べて、上腕の加圧部位Ｐ１に加えて、加圧部位Ｐ１より広い周辺部位Ｐ２を併せてシート部材１０で包むことで、馬の加圧用具１の取り付けに対する安定度を向上させることができる。
【００４６】
以下、加圧用具１の変形例について説明する。加圧用具１と同じ構成には同じ符号を用いて、それらの説明を省略する。
【００４７】
（第１変形例）
図７は示す加圧用具１Ａを右前肢に取り付けた状態を示す図であり、図８の（ａ）は加圧用具１Ａを広げて裏側から見た図であり、（ｂ）は（ａ）の加圧用具１Ａを表側から見た図であり、（ｃ）は（ｂ）のＤ−Ｄ線に沿った加圧用具１Ａの一部の断面を拡大した図である。加圧用具１Ａは、図２の加圧用具１と比べて、シート部材１０の上下の方向に沿った寸法を短く設定されている。
【００４８】
加圧用具１Ａのシート部材１０では、上部は空気袋５０が取り付けられる空気袋取付側として構成されている。また下部は空気袋５０から離れた位置で右前肢を包むことに利用される空気袋非取付側として構成されている。上部と下部とには、固定部材２０がそれぞれ左縁部１１Ｌと右縁部１１Ｒとを合わせた状態を維持するよう設けられている。
【００４９】
さらに加圧用具１Ａでは、シート部材１０は、空気袋取付側と空気袋非取付側との間を部分的に区切るように、シート本体部１００の左縁部１１Ｌ側から内側へ切り欠いた切欠部１２０Ｌと、右縁部１１Ｒ側から内側へ切り欠いた切欠部１２０Ｒと、を設けている。
【００５０】
さらに、加圧用具１Ａは、図８（ｂ）と（ｃ）とに示すように、上部の表側で左縁部１１Ｌに寄せた位置に、布地１３１が間に形状維持部材１３２を挟んでシート部材１０に周縁を縫い合わされている。形状維持部材１３２は左縁部１１Ｌの下端から上端までに亘って設けられている。形状維持部材１３２は、剛性の高い材料で棒状また縦長のシート片として形成されていて、左縁部１１Ｌ側の形状を保つことができる。
【００５１】
上部の左縁部１１Ｌ、下部の左縁部１１Ｌと右縁部１１Ｒにも、それらの形を保つための形状維持部材１３２と布地１３１とがシート部材１０の表側に重ねて縫い合わされている。
【００５２】
加圧用具１Ａを装着する際、空気袋５０に作用する圧力を調整しながら上部を右前肢に被せると空気袋５０の膨らみ（弾発力）によって周囲の布材が引っ張られるが、切欠部１２０Ｌ，１２０Ｒが上部と下部との間に設けられることで例えば先に固定した下部の形を崩さずに、加圧部位Ｐ１に作用する力が所望に至るよう上部を上腕に被せることができる。
【００５３】
また、加圧用具１Ａを取り付ける際には、上部の左縁部１１Ｌ側の形状維持部材１３２を掴むと、左縁部１１Ｌの全体を引っ張ってシート部材１０を上腕に、また下部に対応した形状維持部材１３２を掴めば下部の左縁部全体を引っ張って上腕に被せること等ができるので、取付の際に便利である。
【００５４】
（第２変形例）
図９に示す加圧用具１Ｂは、加圧当接部材４０を省き、右前肢が空気袋５０に直接触れるように構成されている。シート部材１０は、内側で空気袋５０の端部を固定する空気袋用固定部材１５を備えている。空気袋用固定部材１５として縦長の二枚の布片がシート部材１０の裏側で横方向に距離を置いて設けられている。空気袋５０が布片とシート部材１０の間を通ることができるよう、布片は長手方向の両端をシート部材１０に縫い合わされている。
【００５５】
（第３変形例）
図１０（ａ）は第３変形例の加圧用具１Ｃの断面図であり、図３（ａ）のＡ−Ａ線に沿った図に対応する。加圧用具１Ｃは、上記の加圧用具１，１Ａ，１Ｂの構成に加えて、空気袋５０がシート部材１０側へ膨らむことを抑える規制部材８０を備えている。規制部材８０は、ゴムで平たく形成されており、空気袋５０とシート部材１０との間に設けられて空気袋５０の外側の広い面を押さえる。
【００５６】
図１０（ｂ）は変形例の規制部材８０Ａの正面図、（ｃ）は規制部材８０Ａの平面図である。規制部材８０Ａは、ゴムやビニール製で横長に形成されたシート片８１と、シート片８１や空気袋５０より剛性を高く構成されていてシート片８１の長手方向に並んで設けられる複数の線状部材８２と、から構成されている。線状部材８２は、その長手方向がシート片８１の長手方向と直交する姿勢でシート片８１に設けられている。例えばプラスチック製の線状部材８２が接着剤でシート片８１に固定されている
【００５７】
規制部材８０，８０Ａが空気袋５０を前肢側へ膨らませて、右前肢へ作用する力を高めることができる。
【００５８】
（第４変形例）
図１１（ａ）は第４変形例の加圧用具１Ｄの断面図であり、図３（ａ）のＡ−Ａ線に沿った図に対応する。加圧用具１Ｄでは、シート部材１０の裏側に加圧ユニット８５が着脱自在に設けられている。図１１（ａ）ではシート部材１０から外された加圧ユニット８５を二点鎖線で表している。加圧ユニット８５は空気袋５０と、この空気袋５０を内側に入れる収容部６０Ａとから構成されている。加圧ユニット８５は、加圧ユニット用固定部材として例えば面ファスナ部材を介してシート部材１０に取り付けられる。
【００５９】
図１１（ｂ）は加圧ユニット８５の分解斜視図である。収容部６０Ａは右前肢に直接触れる加圧当接部材４０と、加圧当接部材４０と周縁を縫い合わされて外側の広い側面を形成するシート対向部６１と、から構成されている。空気袋５０は、加圧当接部材４０とシート対向部６１との間に設けられる。フック状の突起を複数備えたフックファスナ６２がシート対向部６１の外側の面に縫い合わされている。
【００６０】
シート対向部６１は、図１１（ｂ）に示すように二枚の横長のストレッチなどの布地６１１，６１２を重ね、さらに長手方向に複数のポケット６１３を構成するようにステッチ６１４を布地６１１，６１２に入れて縫い合わせ、さらに合成樹脂製の板状部材６１５を各ポケット６１３に入れて構成されている。シート部材１０は、ループ状の突起を複数備えたループファスナ１０７を裏側に設けている。
【００６１】
加圧用具１Ｄは、収容部６０Ａの複数のフック状の突起がシート部材１０の複数のループ状の突起に掛かって収容部６０Ａをシート部材１０に取り付けた状態で、上記の加圧用具１と同様に、右前肢を包んで加圧部位Ｐ１の血管を押さえることができる。また、空気袋５０の交換時には、収容部６０Ａをシート部材１０から外して、新しい収容部６０Ａを取り付けるだけであるので、煩雑な作業を省くことができる。
【００６２】
（第５変形例）
第５変形例の加圧用具は、シート部材１０の裏側に滑り止め部を設けている。滑り止め部は、シート部材１０の裏側の少なくとも一部に設けられ、或いは全面に設けられている。例えばストレッチなどの布地で滑りの良い加圧当接部を除いて、滑り止め部を設ける。滑り止め部は、例えばシート部材１０の裏側にゲル状のゴムを塗布し、固化させてゴム層として構成したり、ゴム製のシート片を用意して、シート本体部１００に縫い合わせてもよい。
【００６３】
滑り止め部が右前肢に密着することで右前肢で上下に沿って延びる毛などで滑ることを防止できる。これにより、空気袋が加圧部位Ｐ１に当たる所定の位置に取り付けた状態を維持することができる。
【００６４】
（第６変形例）
図１２の第６変形例の加圧用具２は後膝と飛節との間に取り付けて使用される。図１２では馬を一点鎖線で表している。加圧用具２は、前肢用の加圧用具１と同様に構成されているが、後肢に適用できるようシート部材１０の縦と横の寸法、帯状部材２１の長さ等が設定される。なお、図中の７２はポンプを示している。
【００６５】
（その他）
加圧用具は、他の関節と関節との間の部位に取り付けるように、寸法を調整して構成されてもよい。例えば、馬に限らず犬などの四足動物、また人間の四肢で関節と関節との間の部位で、加圧部位Ｐ１に加えてそれより広い周辺部位Ｐ２とを併せて包むように取り付けて利用してもよい。利用の用途は、筋力を増強するトレーニングに限らず、治療用具等として利用することができる。
【符号の説明】
【００６６】
１，１Ａ，１Ｂ，１Ｃ，１Ｄ，２  加圧用具
１０      シート部材
１１Ｕ    上縁部
１１Ｄ    下縁部
１１Ｌ    左縁部
１１Ｒ    右縁部
１１Ｃ    角部
１２      縁取り部
１００    シート本体部
１０１，１０２  布地
１０５    縫合部
１０６    穴
１０７    ループファスナ
１１０    縁取り部
１２０Ｌ，１２０Ｒ    切欠部
１３１    布地
１３２    形状維持部材
１５      空気袋用固定部材
２０      固定部材
２１      帯状部材
２２      環状部材
２３      面ファスナ部材
２３１    ループファスナ
２３２    フックファスナ
３０      捲れ防止部材
３１      ストラップ
３２      留め具
４０      加圧当接部材
５０      空気袋
５１      伸縮部材
５２      袋本体部
５２１，５２２  側面部
５３，５４  チューブ
６０，６０Ａ  収容部
６１１，６１２  布地
６１３    ポケット
６１４    ステッチ
６１５    板状部材
６２      フックファスナ
７０      計測器
７１      連結器
７２      ポンプ
８０，８０Ａ  規制部材
８１      シート片
８２      線状部材
８５      加圧ユニット
Ｐ１      加圧部位
Ｐ２      周辺部位
【図１】
0006335942.tif 000002
【図２】
0006335942.tif 000003
【図３】
0006335942.tif 000004
【図４】
0006335942.tif 000005
【図５】
0006335942.tif 000006
【図６】
0006335942.tif 000007
【図７】
0006335942.tif 000008
【図８】
0006335942.tif 000009
【図９】
0006335942.tif 000010
【図１０】
0006335942.tif 000011
【図１１】
0006335942.tif 000012
【図１２】
0006335942.tif 000013
【図１３】
0006335942.tif 000014